(57)【要約】【課題】      鞘の保護を図った釣竿を提供することである。【解決手段】  元竿１の前側に中竿２と中竿３と穂先竿４が順次継合され、元竿１から中竿２が取り外された後は元竿１に鞘５が継合される。  中竿２と中竿３の先端内周には夫々強化木で形成された中節用上栓６、７が取り付けられ、鞘５の先端内周に強化木で形成された上栓８が固定されている。  上栓８と中節用上栓６、７は紐４２で連結されている。  鞘５の先端の玉口部ａの外周の口金３９より下側外周に握り部４３が形成され、握り部４３は鞘５の先端外周に合成樹脂の熱収縮チュ−ブからなる弾性部材４４が固定され、その外周に細い糸４５が巻回されて糸止めされ、握り部４３の外径は元竿１の先端の玉口部ａの外周の口金１０の外径より膨出して太く形成されている。【選択図】        図２
2005087080.tif 000002
【特許請求の範囲】
【請求項１】
元竿の玉口部に嵌合する差し込み部を有する鞘の先端側外面に元竿玉口部の外周径より膨出した握り部を有することを特徴とする釣竿。
【請求項２】
前記握り部は弾性部材と糸巻きを重ねて施したことを特徴とする請求項１記載の釣竿。
【請求項３】
前記握り部の長さは、鞘の玉口に接着された上栓に紐で連結した中節用上栓の長さの範囲より長くしたことを特徴とする請求項１、２記載の釣竿。
【発明の詳細な説明】
【技術分野】
【０００１】
本発明は、持ち運び易さと竿の保護を図った釣竿に関する。
【背景技術】
【０００２】
従来ヘラ竿や石鯛竿で元竿の先端に取り付けた上栓と、元竿の先端に継ぎ合わせる中竿の先端に取り付けた上栓を紐で連結したものがある。
この場合中竿の先端に取り付けた上栓を中竿から取り外した状態で釣場の移動で持ち歩くあるいは、釣竿を継いだり収納したりする際、元竿の先端に取り付けた上栓と紐で連結された中竿用の上栓が搖れて元竿の先端にぶつかり、強化木で形成された上栓で元竿の先端外周にキズが付くと共に衝撃音を発生する不具合があった。
継ぎ竿の竿管の端の外周に摩擦係数の大きいゴム、又は合成樹脂等で滑り止め層を設けた例が提案されている。（例えば特許文献１参照）
しかし、特許文献１では滑り止め層であって竿の保護とは目的が異なる。
【特許文献１】実開昭５８−４１７４号公報
【発明の開示】
【発明が解決しようとする課題】
【０００３】
解決しようとする課題は、本願では元竿に継合する鞘の先端に上栓を取付け、この上栓に複数の中竿に夫々取り付ける上栓を紐で連結して複数の竿を束ね易くする時、紐で連結した上栓を中竿から取り外して釣場の移動で持ち歩いたり、釣竿を継いだり収納したりする際、中竿用の上栓が鞘の外周にぶつかり、キズを付けたり、衝撃音を発生する不具合があることである。
【０００４】
本発明の目的は前記欠点に鑑み、鞘の保護を図った釣竿を提供することである。
【課題を解決するための手段】
【０００５】
請求項１に係わる本発明は、元竿の玉口部に嵌合する差し込み部を有する鞘の先端側外面に元竿玉口部の外周径より膨出した握り部を有することを要旨とするものである。
請求項２に係わる本発明は、前記握り部は弾性部材と糸巻きを重ねて施したことを要旨とするものである。
請求項３に係わる本発明は、前記握り部の長さは、鞘の玉口に接着された上栓に紐で連結した中節用上栓の長さの範囲より長くしたことを要旨とするものである。
【発明の効果】
【０００６】
請求項１の本発明によって、鞘の抜き差しがし易い。
握り易いと共に握り部により竿が倒れても、元竿の保護、破損防止になる。
請求項２の本発明によって、滑り難く容易に鞘の脱着が出来る。
握り部の製作が容易である。
請求項３の本発明によって、中節用上栓が鞘に当接することによる傷発生防止と防音効果がある。
【発明を実施するための最良の形態】
【０００７】
元竿１の前側に中竿２と中竿３と穂先竿４が順次継合され、元竿１から中竿２が取り外された後は元竿１に鞘５が継合される。
中竿２と中竿３の先端内周には夫々強化木で形成された中節用上栓６、７が取り付けられ、鞘５の先端内周に強化木で形成された上栓８が固定されている。
上栓８と中節用上栓６、７は紐４２で連結されている。
鞘５の先端の玉口部ａの外周の口金３９より下側外周に握り部４３が形成され、握り部４３は鞘５の先端外周に合成樹脂の熱収縮チュ−ブからなる弾性部材４４が固定されてその外周に糸４５が巻回され、糸止め剤が塗布され、握り部４３の外径は元竿１の先端の玉口部ａの外周の口金１０の外径より膨出して太く形成されている。
【実施例１】
【０００８】
以下、本発明を実施例で図面に基づき説明すると、図１から図３は第１実施例で、図１は釣竿の側面図、図２は釣竿の継ぎ合わせを解除した釣竿の分解一部断面側面図、図３は釣竿の鞘と２本の中竿の拡大一部断面側面図と鞘の拡大一部断面側面図である。
【０００９】
釣竿は、元竿１の前側に中竿２と中竿３と穂先竿４が順次継合された石鯛釣用の竿で、中竿２と中竿３が比較的長い釣竿である。
元竿１から中竿２が取り外された後は元竿１に鞘５が継合される。
元竿１と中竿２と中竿３と鞘５は中空の竿管で形成されている。
穂先竿４は中空または中実の竿管で形成されている。
元竿１と鞘５の中には穂先竿４が収納されるように構成されている。
元竿１は先端の玉口部ａの外周に口金１０が接着固定されて玉口部ａの内周が継合孔部１ａに構成されている。
元竿１の竿尻には腹当１１が嵌合固定され、元竿１内の腹当１１の先端には図示しないゴムなどの弾性体が固定されて穂先竿４の竿尻の継合部４ａが係止可能に構成されている。
腹当１１より前側の元竿１の外周にリ−ル装着部１ｂの固定フ−ド１２が固定され、リ−ル装着部１ｂの前側に移動フ−ド１３が嵌合されてナット１４でフ−ド間の距離が調整される。
フ−ド１２、１３にはリ−ル１５のリ−ル脚が取り付けられる。
【００１０】
中竿２と中竿３の先端外周には夫々口金１６、１７が接着固定されて内周が継合孔部２ａ、３ａに形成されている。
中竿２と中竿３の竿尻外周には継合部２ｂ、３ｂが形成されている。
中竿２の外周には間隔を置いて釣糸ガイド１８、１９、２０、２１が固定されている。
中竿３の外周には間隔を置いて釣糸ガイド２２、２３、２４、２５、２６が固定されている。
中竿２と中竿３の先端内周には夫々強化木で形成された中節用上栓６、７が嵌合されて取り付けられている。
中節用上栓６、７は夫々頭部６ａ、７ａと栓部６ｂ、７ｂと頭部６ａ、７ａに穿設された横孔６ｃ、７ｃで形成されて栓部６ｂ、７ｂの外周にゴムなどの弾性栓体２７、２８が嵌合固定されている。
【００１１】
穂先竿４は先端にトップガイド２９が固定され、竿尻外周に継合部４ａが形成されてトップガイド２９から継合部４ａの間に間隔を置いて釣糸ガイド３０、３１、３２、３３、３４、３５、３６、３７、３８が固定されている。
鞘５は先端の玉口部ｂの外周に口金３９が固定され、玉口部ｂの内周に強化木で形成された上栓８が接着固定されている。
鞘５の後部内周に中空のインロ−からなる差し込み部材９の前半部９ａが嵌合固定されている。
差し込み部材９の後半の差し込み部９ｂ外周には複数の周溝が形成されてＯリング４０が嵌合されている。
上栓８は頭部８ａと栓部８ｂと頭部８ａに穿設された横孔８ｃで形成されて栓部８ｂの先端面に凹部が形成されて凹部内にゴムなどの弾性体４１が落し込まれて固定されている。
【００１２】
上栓８の横孔８ｃにはナイロンやポリエチレン製の紐４２が挿通されると共に一方の端４２ａに結び目が形成され、他方の端４２ｂは中竿２と中竿３の中節用上栓６、７の横孔６ｃ、７ｃに挿通された後結び目が形成されている。
紐４２の長さは鞘５と中竿２と中竿３が束ねるためにまとめられると共に、中竿２と中竿３に中節用上栓６、７が取り付け易い適当な長さに形成されている。
鞘５の先端の玉口部ａの外周の口金３９より下側外周に握り部４３が形成されている。
握り部４３は鞘５の先端外周に合成樹脂の熱収縮チュ−ブからなる弾性部材４４が固定されてその外周に細い糸４５が巻回され、糸止め剤が塗布されている。
握り部４３の外径は元竿１の先端の玉口部ａの外周の口金１０の外径より膨出して太く形成されている。
握り部４３の長さは紐４２に取り付けられた中節用上栓７の上栓８からの長さより長く形成されている。
【００１３】
鞘５の先端の玉口部ｂの外周の口金３９より下側外周に握り部４３が形成されると、紐４２に取り付けられた中節用上栓７が搖れて当たってもキズが付かず、衝突音の発生も防止出来る。
握り部４３の外径が元竿１の先端の玉口部ａの外周の口金１０の外径より膨出して太く形成されていると、鞘５が取り付けられた元竿１が倒れても、元竿１の先端部が地面に触れないのでキズ付きが防止される。
握り部４３は合成樹脂の熱収縮チュ−ブからなる弾性部材４４が固定されてその外周に糸４５が巻回、糸止め形成されていると、表面は糸４５で凹凸が感知され、強く握ると中は弾性部材４４で柔らかく握り易く滑り難い。又、糸４５もほつれにくい。
弾性部材４４は合成樹脂の熱収縮チュ−ブ以外に天然発泡材やコルク材やウレタン樹脂、合成樹脂発泡材でもよい。
釣竿が保管される時や釣場に携帯される時は、元竿１に鞘５が継合されて元竿１と鞘５の中に穂先竿４が収容され、中竿２と中竿３に夫々中節用上栓６、７が取り付けられると共に紐４２が引かれて元竿１と鞘５に中竿２と中竿３が束ねられて図示しない紐やゴムバンドで係止されたり、袋の中に収容される。
【００１４】
前記のように釣竿が構成されると、鞘５の先端の玉口部ｂの外周に膨出した握り部を設けたので鞘５の抜き差しがし易い。
握り易いと共に握り部４３により竿が倒れても、元竿１の保護、破損防止になる。
握り部４３を弾性部材４４と糸４５巻きとで形成したので、滑り難く容易に鞘５の脱着が出来る。
握り部４３の製作が容易である。
中節用上栓６、７が鞘５に当接することによる傷発生防止と防音効果がある。
【実施例２】
【００１５】
図４、図５は第２実施例で、図４は釣竿の鞘と２本の中竿の拡大一部断面側面図と鞘の拡大一部断面側面図、図５は係止具の拡大断面側面図である。
【００１６】
第２実施例の釣竿は、元竿１の前側に中竿２と中竿３と穂先竿４が順次継合された石鯛釣用の竿で、中竿２と中竿３が比較的長い釣竿である。
元竿１から中竿２が取り外された後は元竿１に鞘５が継合される。
中竿２と中竿３の先端内周には夫々強化木で形成された中節用上栓６、７が取り付けられている。
鞘５の先端の玉口部ｂの内周に強化木で形成された上栓８が接着固定されている。
上栓８の横孔８ｃにはナイロンやポリエチレン製の紐４２が挿通されると共に一方の端４２ａに結び目が形成されて上栓８と結び目の間に係止具４８が通されている。
紐４２の他方の端４２ｂは中竿２と中竿３の中節用上栓６、７の横孔６ｃ、７ｃに挿通された後結び目が形成されている。
【００１７】
鞘５の先端の玉口部ａの外周の口金３９より下側外周に握り部４３が形成されている。
握り部４３は鞘５の先端外周に太い糸４６が巻回され、その外周に合成樹脂の熱収縮チュ−ブからなる弾性部材４７が固定されている。
握り部４３の外径は元竿１の先端の玉口部ａの外周の口金１０の外径より膨出して太く形成されている。
【００１８】
係止具４８は円筒部４９と円柱部５０と発条５１とで構成されている。
円筒部４９には円柱部５０と発条５１が収納される凹部４９ａと、紐４２が通される横向きの透孔４９ｂと、開口端に内向きの鈎部４９ｃが形成されている。
円柱部５０には発条５１が嵌まる小径部５０ａと、透孔４９ｂに度当りする突出部５０ｂと、紐４２が通される横向きの透孔５０ｃと、押し板５０ｄと鈎部４９ｃが嵌まる小径部５０ｅとで形成されている。
他の構成は前記第１実施例と略同一である。
【００１９】
第２実施例の釣竿は、紐４２の一方の端４２ａをつかんで係止具４８を上栓８側に寄せると中竿２と中竿３の中節用上栓６、７を簡単に上栓８側に寄せることができる。
【産業上の利用可能性】
【００２０】
鞘が使用される渓流釣竿に実施してもよい。
【図面の簡単な説明】
【００２１】
【図１】第１実施例で、釣竿の側面図である。
【図２】同釣竿の継ぎ合わせを解除した釣竿の分解一部断面側面図である。
【図３】同釣竿の鞘と２本の中竿の拡大一部断面側面図と鞘の拡大一部断面側面図である。
【図４】第２実施例で、釣竿の鞘と２本の中竿の拡大一部断面側面図と鞘の拡大一部断面側面図である。
【図５】同係止具の拡大断面側面図である。
【符号の説明】
【００２２】
１  元竿
５  鞘
ａ、ｂ  玉口部
６、７  中節用上栓
８  上栓
９  差し込み部材
９ｂ  差し込み部
４２  紐
４３  握り部
４４、４７  弾性部材
４５、４６  糸
【図１】
2005087080.tif 000003
【図２】
2005087080.tif 000004
【図３】
2005087080.tif 000005
【図４】
2005087080.tif 000006
【図５】
2005087080.tif 000007